(57)【要約】      （修正有）【課題】１本の糸で電気抵抗の変化を検知して、水濡れを検知することができる糸、また２本の導線間の距離に制限を受けることなく、該糸を少なくとも一部に備えてなる布帛の提供。【解決手段】糸１は、導電性を有する第１導電糸２と、第１導電糸２の外周面を被覆する非導電性を有する吸水糸３と、吸水糸３の外周面の少なくとも一部を被覆する導電性を有する第２導電糸４と、を備える。望ましくは、非導電性を有する吸水糸３が異形断面糸である。【選択図】図１
2019073816.tif 000002
【特許請求の範囲】
【請求項１】
導電性を有する第１導電糸と、該第１導電糸の外周面を被覆する非導電性を有する吸水糸と、該吸水糸の外周面の少なくとも一部を被覆する導電性を有する第２導電糸と、を備えることを特徴とする糸。
【請求項２】
前記非導電性を有する吸水糸が異形断面糸である請求項１に記載の糸。
【請求項３】
請求項１又は２に記載の糸を少なくとも一部に備えてなる布帛。
【発明の詳細な説明】
【技術分野】
【０００１】
本発明は、水濡れを検知することができる糸及び該糸を少なくとも一部に備えてなる布帛に関する。
【背景技術】
【０００２】
自動車、バス、鉄道等の車両の座席シートや、ソファ、座椅子等の家具のシート等には、織物、編物、モケット等の座席シート用表皮材が用いられていることが多い。
【０００３】
織物、編物、モケット等の座席シート用表皮材の上で、水、お茶、ジュース等の液体をこぼして、そのまま席を離れた場合、次に座る人が濡れていることに気付かず、座ってしまい、次に座った方の服やズボンが濡れてしまう恐れがある。
【０００４】
特許文献１には、少なくとも２枚の非導電性シートの間に、一定間隔をおいて２本の導線を配置した積層構造を有し、かつ、該２本の導線の少なくとも片側の非導電性シート層が導電性液体を吸収し、拡散することができる非導電性シートのみで構成されているシート状の導電性液体感知部と、該２本の導線間の電気抵抗の変化を検知することができる電気回路を有する検知部とからなることを特徴とする導電性液体検知装置が開示されている。
【先行技術文献】
【特許文献】
【０００５】
【特許文献１】特開平６−３０８２５２号公報
【発明の概要】
【発明が解決しようとする課題】
【０００６】
特許文献１では、２本の導線間における電気抵抗の変化を検知しているため、２本の導線間の距離に制限がかかり、製造工程が複雑になる恐れがある。
【０００７】
本発明は、かかる技術的背景を鑑みてなされたものであって、１本の糸で水濡れを検知することができる糸を提供することが目的である。本願発明の第２の目的は、２本の導線間の距離に制限を受けることなく、該糸を少なくとも一部に備えてなる布帛を提供することが目的である。
【課題を解決するための手段】
【０００８】
前記目的を達成するために、本発明は以下の手段を提供する。
【０００９】
[１] 導電性を有する第１導電糸と、該第１導電糸の外周面を被覆する非導電性を有する吸水糸と、該吸水糸の外周面の少なくとも一部を被覆する導電性を有する第２導電糸と、を備えることを特徴とする糸。
【００１０】
[２]前記非導電性を有する吸水糸が異形断面糸である前項１に記載の糸。
【００１１】
[３] 前項１又は２に記載の糸を少なくとも一部に備えてなる布帛。
【発明の効果】
【００１２】
[１]の発明では、導電性を有する第１導電糸と、第１導電糸の外周面を被覆する非導電性を有する吸水糸と、吸水糸の外周面の少なくとも一部を被覆する導電性を有する第２導電糸と、を備えるから、糸に水、お茶、ジュース等の液体が付着しない場合は、第１導電糸と第２導電糸とが、接触していないため、電気は流れない。逆に、糸に水、お茶、ジュース等の液体が付着した場合は、まず第２導電糸に液体が浸透し、次に非導電性を有する吸水糸に液体が浸み込んでいき、最後に第１導電糸まで液体が浸透する。第１導電糸は導電性を有するため、第１導電糸に電気を流していると、液体が浸透することで第１導電糸と第２導電糸とが通電し、電気が流れることになる。その結果、糸に水、お茶、ジュース等の液体が付着した場合は、水濡れを検知するシステムを組むことができる。１本の糸で水濡れを検知することができる糸を提供することができる。
【００１３】
[２]の発明では、非導電性を有する吸水糸が異形断面糸であるから、非導電性を有する吸水糸に液体が付着した時、第１導電糸の芯糸にまで液体が容易に浸透させることができる。
【００１４】
[３]の発明では、前項１又は２に記載の糸を少なくとも一部に備えてなる布帛であるから、１本の糸で水濡れを検知することができるため、２本の導線間の距離に制限を受けることなく布帛状にすることができ、水濡れを検知することができる。
【図面の簡単な説明】
【００１５】
【図１】本発明に係る糸の一実施形態を示す断面図である。
【図２】本発明に係る糸の一実施形態を示す斜視図である。
【発明を実施するための最良の形態】
【００１６】
本発明に係る糸の一実施形態を図面に基づいて説明する。図１に示すように、本実施形態の糸１は、導電性を有する第１導電糸２と、該第１導電糸２の外周面を被覆する非導電性を有する吸水糸３と、該吸水糸３の外周面の少なくとも一部を被覆する導電性を有する第２導電糸４と、を備えることを特徴とする。
【００１７】
前記第１導電糸２としては、導電性を有する繊維素材であればよく、例えば、銅、ステンレス、銀等の金属繊維や炭素繊維、導電性のない繊維に、銀、銅、ニッケル等の金属をメッキ等の手段によって繊維表面にコーティングし導電性機能の付与された糸等を挙げることができる。
【００１８】
前記第１導電糸２の電気抵抗としては、１０３Ω／ｃｍ〜１０−１Ω／ｃｍであることが好ましい。
【００１９】
前記非導電性を有する吸水糸３としては、非導電性と吸水性を有する糸であれば、特に限定されるものではないが、異形断面糸、マイクロファイバー等が挙げられる。中でも、異形断面糸であることがより好ましい。前記非導電性を有する吸水糸３は非導電性と吸水性を有するため、液体がない状態では、第１導電糸２と第２導電糸４との間に前記非導電性を有する吸水糸３があるため、電気が流れることはない。しかしながら、前記非導電性を有する吸水糸３に液体が付着し、第１導電糸２の芯糸にまで液体が浸透した場合、第１導電糸２と第２導電糸４とは電気が流れることになり、水濡れを検知することができる。
【００２０】
前記第１導電糸２の外周面に、前記非導電性を有する吸水糸３を被覆する方法としては、特に限定するものではないが、組紐、カバーリング等が挙げられ、第１導電糸２からなる芯糸の隙間が見えないように巻き付けることが必要である。
【００２１】
前記組紐としては、丸打紐、角打紐、平打紐等が挙げられ、丸打紐であることがより好ましい。
【００２２】
前記組紐の太さとしては、５００デシテックス〜１００００デシテックスであることが好ましい。
【００２３】
前記第１導電糸２からなる芯糸の外周面に巻き付ける組紐の本数としては、４打〜１６打であることが好ましく、中でも、８打〜１２打であることがより好ましい。
【００２４】
前記吸水糸３の外周面の少なくとも一部を被覆する導電性を有する第２導電糸４を被覆する方法としては、特に限定するものではないが、例えば、螺旋状に巻き付ける等が挙げられる。中でも密に巻き付けることがより好ましい。
【００２５】
前記第２導電糸４としては、導電性を有する繊維素材であればよく、例えば、銅、ステンレス、銀等の金属繊維や炭素繊維、導電性のない繊維に、銀、銅、ニッケル等の金属をメッキ等の手段によって繊維表面にコーティングし導電性機能の付与された糸等を挙げることができる。
【００２６】
前記第２導電糸４の電気抵抗としては、１０３Ω／ｃｍ〜１０−１Ω／ｃｍであることが好ましい。
【００２７】
前記糸１を布帛として用いる場合は、布帛の少なくとも一部に前記糸１を備えていることが必要である。布帛を構成している経糸又は緯糸の少なくとも一部に前記糸１を用いても良いし、ポリエステルなどの公知の非導電性糸で非導電性布帛をあらかじめ形成してから、前記糸１を刺繍や貼り付けするように備えても良い。前記糸１を用いる本数なども適宜利用可能である。１本の前記糸１で水濡れを検知することができるため、２本の導線間の距離に制限を受けることなく、布帛状にすることができる。
【００２８】
前記布帛の組織としては、平織、綾織、朱子織等が挙げられる。
【００２９】
水濡れを検知する方法としては、特に限定されるものではないが、例えば、第１導電糸２だけに電気を流しておき、第２導電糸４には電気を流さないようにして、第２導電糸４に電気が流れると、ＬＥＤランプを点灯させるようにすることで水濡れを検知することができる装置を組んでおく。前記糸１に液体が濡れた時、まず液体が第２導電糸４を通過して、第２導電糸４の下にある吸水糸３にまで液体が浸透して、吸水糸３の外周面に液体が染み渡り、第１導電糸２まで液体が浸透する。第１導電糸２は電気が流れているので、液体を介して第１導電糸２と第２導電糸４とに電気が流れることになり、第２導電糸４に電気が流れると、水濡れを検知することができる。１本の糸で水濡れを検知することができる糸を提供することができる。
【００３０】
前記布帛を座席シート表皮材の内側に設置して使用すると、座席シート表皮材に水、お茶、ジュース等の液体をこぼした場合、座席シート表皮材の表面に液体が浸透し、前記シート表皮材の内側に設置している前記布帛にも液体が浸透することで、座席シートの濡れを検出することができる。
【実施例】
【００３１】
次に、本発明の具体的実施例について説明するが、本発明はこれら実施例のものに特に限定されるものではない。
【００３２】
＜使用材料＞
導電糸Ａ・・・・銀メッキ糸（大阪電気工業株式会社製、ｏｄｅｘ、７０ｄ×３）
導電糸Ｂ・・・銅線（直径０．１２７ｍｍ）
導電糸Ｃ・・・ステンレス線（直径０．１２７ｍｍ）
非導電性を有する吸水糸Ｄ・・・異形断面糸（帝人フロンティア株式会社製、カルキュロ、ポリエステル、１６７Ｔ４８）
非導電性を有する吸水糸Ｅ・・・マイクロファイバー（ポリエステル）
【００３３】
＜実施例１＞
第１導電糸２として導電糸Ａの外周面に、非導電性を有する吸水糸３として非導電性を有する吸水糸Ｄを用いて組紐を編むようにして被覆させた。次に、非導電性を有する吸水糸３の外周面に第２導電糸４として導電糸Ａを用いて螺旋状に巻き付けて、糸１を得た。
【００３４】
＜実施例２＞
第１導電糸２として導電糸Ｃを、非導電性を有する吸水糸３として非導電性を有する吸水糸Ｅを、第２導電糸４として導電糸Ａを用いる設定にした以外は、実施例１と同様にして、糸１を得た。
【００３５】
＜実施例３＞
第１導電糸２として導電糸Ａを、非導電性を有する吸水糸３として非導電性を有する吸水糸Ｄを、第２導電糸４として導電糸Ｂを用いる設定にした以外は、実施例１と同様にして、糸１を得た。
【００３６】
＜比較例１＞
第１導電糸を用いず、非導電性を有する吸水糸３として非導電性を有する吸水糸Ｄを、第２導電糸４として導電糸Ａを用いる設定にした以外は、実施例１と同様にして、糸を得た。
【００３７】
＜比較例２＞
非導電性を有する吸水糸を用いず、第１導電糸２として導電糸Ａを、第２導電糸４として導電糸Ａを用いる設定にした以外は、実施例１と同様にして、糸を得た。
【００３８】
＜比較例３＞
第２導電糸を用いず、第１導電糸２として導電糸Ａを、非導電性を有する吸水糸３として非導電性を有する吸水糸Ｄを用いる設定にした以外は、実施例１と同様にして、糸を得た。
【００３９】
【表１】
2019073816.tif 000003
【００４０】
上記のようにして得られた各糸に対して、下記評価方法に基づいて評価を行った。これらの評価結果を表１に示す。
【００４１】
＜水濡れ検知評価法＞
本願発明の実施例１〜３、比較例１〜３で作成した糸のうち、第１導電糸のみに電気を流し、第２導電糸には電気を流さない状態で、第２導電糸に電気が流れるとＬＥＤランプが点灯する電気回路を取り付け、液体が濡れていることが分かる簡易装置を構築してから、水濡れ検知評価を行った。本願発明の実施例１〜３、比較例１〜３で作成した糸の表面側に水を１０ｍｌ滴下し、１分後にＬＥＤランプが点灯したものを「○」、ＬＥＤランプが点灯しなかったものを「×」とし、「○」以上を合格とした。なお、水を滴下する位置としては、糸の真ん中で、かつ、第２導電糸の上に水を滴下した。
【００４２】
表１から明らかなように、本発明の実施例１〜３の糸は、水濡れを検知することができた。
【００４３】
これに対して、比較例１の糸は、第１導電糸がないため、第１導電糸に電気を事前に流すことができず、簡易装置がうまく働かなく、水濡れを検知できなかった。比較例２の糸は、非導電性を有する吸水糸がないため、第１導電糸と第２導電糸が接触して常に通電してしまい、簡易装置をうまく作動することができず、水濡れを検知できなかった。比較例３の糸は、第２導電糸がないため、第１導電糸に電気を事前に流していても、第２導電糸がないため、水濡れを検知するように簡易装置をうまく作動させることができず、水濡れを検知できなかった。
【産業上の利用可能性】
【００４４】
本発明に係る糸は、例えば、車、電車、公共施設等のシート、病院、介護に関するベッド等に好適に使用することができる。
【符号の説明】
【００４５】
１・・・糸
２・・・第１導電糸
３・・・吸水糸
４・・・第２導電糸
【図１】
2019073816.tif 000004
【図２】
2019073816.tif 000005
【手続補正書】
【提出日】平成30年9月29日(2018.9.29)
【手続補正１】
【補正対象書類名】明細書
【補正対象項目名】０００２
【補正方法】変更
【補正の内容】
【０００２】
自動車、バス等の車両の座席シートや、ソファ、座椅子等の家具のシート等には、織物、編物、モケット等の座席シート用表皮材が用いられていることが多い。
【手続補正２】
【補正対象書類名】明細書
【補正対象項目名】００４４
【補正方法】変更
【補正の内容】
【００４４】
本発明に係る糸は、例えば、車、公共施設等のシート、病院、介護に関するベッド等に好適に使用することができる。